(57)【特許請求の範囲】
【請求項１】
マークシートの他事記載を検出する他事記載検出装置において、
マークシートのマーク記入前後のドットイメージを読み取るマークシート読み取り部と、
読み取られたマーク記入前ドットイメージから得られる印刷内容およびマーク記入個所の位置を比較情報として記憶する比較情報記憶部と、
読み取られたマーク記入後ドットイメージを一定の区画に分割する区画設定部と、
前記比較情報を用いて、分割された前記区画ごとに、前記マーク記入後ドットイメージの区画内黒ドット数であって前記マーク記入個所にマーク黒ドットを検出したときにはマーク黒ドット数を差し引いた前記区画内黒ドット数の、区画内全ドット数に対する割合を算出する割合算出部と、
算出された前記割合が一定値以下である場合には前記区画に他事記載が存在しないと判定し、前記割合が前記一定値を超える場合には前記印刷内容またはマーク以外の記入が存在すると判定する判定部と、
を有することを特徴とする他事記載検出装置。
【請求項２】
前記マーク記入前ドットイメージと前記マーク記入後ドットイメージとについて排他論理処理を行う排他論理処理部を有し、
算出された前記割合が前記一定値を超える場合であって、前記排他論理処理によって前記マーク記入前ドットイメージと前記マーク記入後ドットイメージとが一致する場合には、前記判定部は、前記区画に前記印刷内容が含まれていると判定することを特徴とする請求項１記載の他事記載検出装置。
【請求項３】
前記マーク記入前ドットイメージと前記マーク記入後ドットイメージとについて排他論理処理を行う排他論理処理部を有し、
算出された前記割合が前記一定値を超える場合であって、前記排他論理処理によって前記マーク記入前ドットイメージと前記マーク記入後ドットイメージとが一致しない場合には、前記排他論理処理で生じた一致しない部分に対し、あらかじめ記憶された文字パターンとのパターンマッチングを行うパターンマッチング部を有することを特徴とする請求項１記載の他事記載検出装置。
【請求項４】
マークシートの他事記載を検出する他事記載検出方法において、
マークシートのマーク記入前ドットイメージを読み取り、
読み取られた前記マーク記入前ドットイメージから得られる印刷内容およびマーク記入個所の位置を比較情報として記憶し、
前記マークシートのマーク記入後ドットイメージを読み取り、
読み取られた前記マーク記入後ドットイメージを一定の区画に分割し、
前記比較情報を用いて、分割された前記区画ごとに、前記マーク記入後ドットイメージの区画内黒ドット数であって前記マーク記入個所にマーク黒ドットを検出したときにはマーク黒ドット数を差し引いた前記区画内黒ドット数の、区画内全ドット数に対する割合を算出し、
算出された前記割合が一定値以下である場合には前記区画に他事記載が存在しないと判定し、前記割合が前記一定値を超える場合には前記印刷内容またはマーク以外の記入が存在すると判定することを特徴とする他事記載検出方法。
【請求項５】
読み取られた前記マーク記入後ドットイメージを前記一定の区画に分割する際に、複数の前記区画間にまたがる区画間ドットイメージを検出した場合には、前記マーク記入後ドットイメージを、前記区画間ドットイメージを中心とする新たな区画に分割し、前記新たな区画ごとに前記割合を算出することを特徴とする請求項４記載の他事記載検出方法。
【請求項６】
前記割合が前記一定値を超える場合には前記印刷内容または前記マーク以外の記入が存在すると判定する際には、前記マーク記入前ドットイメージと前記マーク記入後ドットイメージとについて排他論理処理を行い、
前記排他論理処理によって前記マーク記入前ドットイメージと前記マーク記入後ドットイメージとが一致する場合には、前記区画に前記印刷内容が含まれていると判定することを特徴とする請求項４記載の他事記載検出方法。
【請求項７】
前記割合が前記一定値を超える場合には前記印刷内容または前記マーク以外の記入が存在すると判定する際には、前記マーク記入前ドットイメージと前記マーク記入後ドットイメージとについて排他論理処理を行い、
前記排他論理処理によって前記マーク記入前ドットイメージと前記マーク記入後ドットイメージとが一致しない場合には、前記排他論理処理で生じた一致しない部分に対し、あらかじめ記憶された文字パターンとのパターンマッチングを行うことを特徴とする請求項４記載の他事記載検出方法。
【発明の詳細な説明】
【０００１】
【発明の属する技術分野】
本発明は他事記載検出装置および他事記載検出方法に関し、特にマークシートになされたマーク以外の不適当な記入などの他事記載を検出するための他事記載検出装置および他事記載検出方法に関する。
【０００２】
【従来の技術】
近年、データの集計作業を効率的かつ確実に行う観点から、マーク記入個所が設けられているマーク方式の記入用紙（マークシート）が広く利用されており、種々の分野に普及している。一般に、このようなマークシートには、記入されたマークをマークシート読み取り装置で読み取ることができるよう、行ごとあるいは列ごとのマーク記入個所に対応付けられているタイミングマークがその縁部に印刷されている。マークシート読み取り装置は、そのタイミングマークを読み取るとともに、これに対応するマーク記入個所に記入されているマークの位置を判定する。
【０００３】
このようなマークシートには、所定のマーク記入個所以外に記入されている不適当な記載あるいは汚れなどの、いわゆる他事記載が、マーク記入時に生じている場合がある。マークシートに他事記載が存在する場合、その利用分野によっては、そのマークシートを無効なものとして扱う必要もある。
【０００４】
例えば、近年では、選挙投票における一連の作業を電子化する電子投票システムが提案されている。この電子投票システムでは、選挙候補者名や政党名に番号が付されて印刷されているマークシートの投票用紙に、投票者によってマークがされることにより、投票する選挙候補者が選択される。そして、所定の読み取り装置によって、記入後の投票用紙がイメージ認識され、読み取られたマークの位置に基づき、投票された選挙候補者が決定される。
【０００５】
【発明が解決しようとする課題】
しかしながら、他事記載を検出する場合、例えば、記入後のマークシート全体をイメージスキャナなどで読み取り、読み取ったマークシートのイメージデータと、記入前のオリジナルのマークシートのイメージデータとを、それぞれの読み取ったドット数を基に比較する方法が考えられるが、この場合、イメージがすべて黒ドットで構成されているため、所定個所以外の記入が、マークシートにもともと印刷された内容のものであるのか、後から記入された他事記載であるのかを自動的に識別することが困難であるという問題点がある。
【０００６】
電子投票システムの選挙投票において、マークシートの投票用紙に存在する他事記載を適正に識別することができなければ、選挙の公正を害して選挙結果に影響を与える可能性があるとともに、無効票の増加を招く恐れもある。
【０００７】
本発明はこのような点に鑑みてなされたものであり、マークシートに存在する他事記載を識別して正確に検出することのできる他事記載検出装置および他事記載検出方法を提供することを目的とする。
【０００８】
【課題を解決するための手段】
本発明では上記問題を解決するために、マークシートの他事記載を検出する他事記載検出装置において、マークシートのマーク記入前後のドットイメージを読み取るマークシート読み取り部と、読み取られたマーク記入前ドットイメージから得られる印刷内容およびマーク記入個所の位置を比較情報として記憶する比較情報記憶部と、読み取られたマーク記入後ドットイメージを一定の区画に分割する区画設定部と、前記比較情報を用いて、分割された前記区画ごとに、前記マーク記入後ドットイメージの区画内黒ドット数であって前記マーク記入個所にマーク黒ドットを検出したときにはマーク黒ドット数を差し引いた前記区画内黒ドット数の、区画内全ドット数に対する割合を算出する割合算出部と、算出された前記割合が一定値以下である場合には前記区画に他事記載が存在しないと判定し、前記割合が前記一定値を超える場合には前記印刷内容またはマーク以外の記入が存在すると判定する判定部と、を有することを特徴とする他事記載検出装置が提供される。
【０００９】
このような他事記載検出装置によれば、割合算出部が、分割された区画ごとに、区画内全ドット数に対する区画内黒ドット数の割合を算出する。このとき、割合算出部は、比較情報を用いて、この区画内でマーク記入個所のマーク黒ドットを検出したときには、これを正当な記入とみなし、その黒ドット数であるマーク黒ドット数を差し引いたものを、区画内黒ドット数として割合を算出する。そして、その割合に基づいて、判定部が、マーク記入個所以外に記入が行われているか否かを判定し、算出した割合が一定値以下の場合には、その区画内に他事記載が存在しないと判定する。
【００１０】
また、本発明では、マークシートの他事記載を検出する他事記載検出方法において、マークシートのマーク記入前ドットイメージを読み取り、読み取られた前記マーク記入前ドットイメージから得られる印刷内容およびマーク記入個所の位置を比較情報として記憶し、前記マークシートのマーク記入後ドットイメージを読み取り、読み取られたマーク記入後ドットイメージを一定の区画に分割し、前記比較情報を用いて、分割された前記区画ごとに、前記マーク記入後ドットイメージの区画内黒ドット数であって前記マーク記入個所にマーク黒ドットを検出したときにはマーク黒ドット数を差し引いた前記区画内黒ドット数の、区画内全ドット数に対する割合を算出し、算出された前記割合が一定値以下である場合には前記区画に他事記載が存在しないと判定し、前記割合が前記一定値を超える場合には前記印刷内容またはマーク以外の記入が存在すると判定することを特徴とする他事記載検出方法が提供される。
【００１１】
このような他事記載検出方法によれば、まず、マーク記入前ドットイメージを読み取って得られる印刷内容およびマーク記入個所の位置を比較情報として記憶しておく。そして、マーク記入後ドットイメージを読み取って一定の区画に分割し、分割した区画ごとに、区画内全ドット数に対する区画内黒ドット数の割合を算出する。このとき、比較情報を用い、この区画内でマーク記入個所のマーク黒ドットを検出したときには、これを正当な記入とみなし、その黒ドット数であるマーク黒ドット数を差し引いたものを、区画内黒ドット数として割合を算出する。そして、その割合が一定値以下であるか否かによって、その区画内における他事記載の存在を判定する。
【００１２】
【発明の実施の形態】
以下、本発明の実施の形態を、図面を参照して説明する。
図１は他事記載検出装置の構成例を示す図である。
【００１３】
他事記載検出装置１０は、マークシート読み取り部１１、比較情報記憶部１２およびイメージ解析部１３を有している。
マークシート読み取り部１１は、マーク記入前後のマークシート２０のドットイメージを読み取る。なお、以下では、マーク記入前のマークシート２０のドットイメージを「マーク記入前ドットイメージ」と、マーク記入後のマークシート２０のドットイメージを「マーク記入後ドットイメージ」という。
【００１４】
このマークシート読み取り部１１で読み取られたマーク記入前ドットイメージに含まれるマークシート２０上の印刷内容、およびマークが記入されるマーク記入個所の位置に関する情報が、比較情報として比較情報記憶部１２に記憶される。
【００１５】
また、他事記載検出装置１０のイメージ解析部１３は、区画設定部１３ａ、割合算出部１３ｂ、排他論理処理部１３ｃ、パターンマッチング部１３ｄ、判定部１３ｅおよび判定結果出力部１３ｆを有している。
【００１６】
区画設定部１３ａは、マークシート読み取り部１１で読み取られたマーク記入後ドットイメージを、一定の区画に分割する。
割合算出部１３ｂは、まず、分割された区画ごとに、実際に読み取った区画内のマーク記入後ドットイメージの黒ドット数である区画内黒ドット数を求める。このとき、割合算出部１３ｂは、比較情報を用いて、この区画内にマーク記入個所が存在し、かつ、そのマーク記入個所にマークが記入されたことにより生じる黒ドットであるマーク黒ドットを検出したときは、その黒ドット数であるマーク黒ドット数を差し引いたものを、区画内黒ドット数とする。そして、割合算出部１３ｂは、このように求めた区画内黒ドット数を用い、この区画内を占める全ドット数（以下「区画内全ドット数」という）に対する区画内黒ドット数の割合を算出する。
【００１７】
排他論理処理部１３ｃは、マークシート読み取り部１１で読み取られたマーク記入後ドットイメージと、比較情報として比較情報記憶部１２に記憶されているマーク記入前ドットイメージとについて、排他論理処理を行う。この排他論理処理は、マーク記入後ドットイメージとマーク記入前ドットイメージとを重ね合わせ、一致しない部分を抽出する。
【００１８】
パターンマッチング部１３ｄは、マーク記入前のマークシート２０に後から記入された部分について、その部分が文字を形成しているか否かを判定するため、あらかじめ記憶されている文字パターンとの照合を行う。
【００１９】
判定部１３ｅは、割合算出部１３ｂの算出結果とともに、排他論理処理部１３ｃの処理結果およびパターンマッチング部１３ｄの照合結果に基づいて、マークシート２０に後から記入された部分が、不適当な記入などのいわゆる他事記載であるか否かを判定する。
【００２０】
判定結果出力部１３ｆは、判定部１３ｅの判定結果を、外部出力装置などによって出力する。
上記のような他事記載検出装置１０で他事記載を検出する場合には、まず、マーク記入前ドットイメージがマークシート読み取り部１１で読み取られ、その印刷内容およびマーク記入個所の位置が、比較情報として比較情報記憶部１２に記憶される。
【００２１】
そして、他事記載検出装置１０では、他事記載を検出するため、マーク記入後ドットイメージがマークシート読み取り部１１で読み取られる。このマーク記入後ドットイメージは、イメージ解析部１３で、比較情報記憶部１２の比較情報を用いてイメージ解析される。
【００２２】
図２は他事記載検出装置におけるイメージ解析の説明図であって、（ａ）はマークシートを区画分割した状態を示す図、（ｂ）は区画Ａの拡大図である。
マークシート２０には、マーク記入個所２１が複数設けられており、マークシート２０上の縦横に整列した状態で設けられている。このマークシート２０には、マーク記入個所２１に記入されるマーク以外の記入である他事記載２２が存在している。
【００２３】
他事記載２２の検出においては、まず、イメージ解析部１３の区画設定部１３ａが、マーク記入後ドットイメージを一定の区画に分割する。
次いで、イメージ解析部１３の割合算出部１３ｂは、まず、分割された区画ごとに、区画内のマーク記入後ドットイメージの区画内黒ドット数を求める。このとき、割合算出部１３ｂは、比較情報を用いて、この区画内にマーク記入個所２１が存在し、かつ、そのマーク記入個所にマーク黒ドットを検出したときは、これを正当な記入とみなし、その黒ドット数であるマーク黒ドット数を差し引いたものを、区画内黒ドット数とする。そして、割合算出部１３ｂは、このように求めた区画内黒ドット数の区画内全ドット数に対する割合Ｘを、区画ごとに算出する。すなわち、割合Ｘは、Ｘ＝｛（区画内黒ドット数）−（マーク黒ドット数）｝／（区画内全ドット数）の式で算出される。
【００２４】
このように割合Ｘを算出する上で、複数の区画間にまたがるドットイメージである区画間ドットイメージが検出されている場合には、イメージ解析部１３は、その区画間ドットイメージを中心にして新たな区画を設定し、その新たな区画ごとに割合Ｘを算出する。
【００２５】
図３は区画間ドットイメージのイメージ解析の説明図であって、（ａ）は区画間にまたがる区画間ドットイメージ、（ｂ）は新たに設定された区画をそれぞれ示している。
【００２６】
イメージ解析部１３は、図３（ａ）に示すように、最初に設定した区画Ａ，Ｂの間にまたがる区画間ドットイメージ３０を検出した場合には、区画設定部１３ａで、図３（ｂ）に示すように、この区画間ドットイメージ３０を中心として新たな区画Ｃを設定する。そして、新たに設定された区画Ｃで割合Ｘを算出する。
【００２７】
これにより、区画間ドットイメージ３０が区画Ｃに占める割合Ｘは、区画間ドットイメージ３０の一部が区画Ａまたは区画Ｂを占めているときの割合Ｘに比べて大きくなるので、区画間ドットイメージ３０をより正確に検出することができるようになる。
【００２８】
割合Ｘを算出した後、イメージ解析部１３の判定部１３ｅは、この割合Ｘが一定値以下の場合には、その区画内では、マーク以外の記入はない、すなわち他事記載２２はないと判定する。一方、割合Ｘが一定値を超える場合には、その区画内では、マーク以外に何らかの記入があると判定する。
【００２９】
上記のイメージ解析により割合Ｘを算出する場合、マーク記入個所２１とともに印刷内容を含む区画では、それが含まれない場合に比べて読み取られる区画内の黒ドット数が多く、割合Ｘが高くなる。また、区画内に、印刷内容しか含まれていないような場合にあっては、設定している一定値を常に超えるようになる。したがって、判定部１３ｅで、この区画内でマーク記入個所２１以外に何らかの記入があると判定された場合には、それが印刷内容であるのか、あるいはマーク以外の記入であるのかを判定する必要がある。
【００３０】
そのため、排他論理処理部１３ｃで、マーク記入後ドットイメージとマーク記入前ドットイメージとについて、排他論理処理を行い、印刷内容であるか否かを判定する。すなわち、マーク記入後ドットイメージとマーク記入前ドットイメージとを重ね合わせ、一致しない部分を抽出する。判定部１３ｅは、双方が一致する場合には、割合Ｘが一定値を超えても、それは印刷内容に起因するものであると判定する。一方、一致しない部分が生じる場合には、割合Ｘが一定値を超えるのは、マーク以外の記入に起因するものであると判定する。
【００３１】
ところで、マーク以外の記入としては、前述の他事記載２２のほかに、例えばマークシート２０に設けられた氏名記入欄に記入された氏名のように、後から所定の個所に記入された文字である場合もある。このような場合には、パターンマッチング部１３ｄにおいて、排他論理処理部１３ｃでの処理の際に生じた一致しない部分に対し、あらかじめ記憶しておいた文字パターンとのパターンマッチングが行われる。これにより、マーク以外の記入が文字を形成しているか否かが判定される。
【００３２】
判定部１３ｅは、割合Ｘの値とともに、排他論理処理結果およびパターンマッチングの結果に基づいて、区画内に他事記載２２があるか否かを判定する。この判定結果は、イメージ解析部１３の判定結果出力部１３ｆで、外部出力される。
【００３３】
他事記載検出装置１０では、以上の処理が、設定したすべての区画について行われ、各区画について他事記載２２の検出が行われる。
以下、本発明の実施の形態を、電子投票システムにおける投票用紙の他事記載の検出に適用した場合を例に、図面を参照して詳細に説明する。
【００３４】
図４は他事記載検出装置を用いた電子投票システムの構成例を示す図である。
電子投票システム４０は、投票用紙の記入前後のドットイメージを読み取るためのイメージスキャナ４１ａ，４１ｂ，４１ｃ，４１ｄを有している。このイメージスキャナ４１ａ，４１ｂ，４１ｃ，４１ｄは、図１に示したマークシート読み取り部１１として機能する。
【００３５】
このイメージスキャナ４１ａ，４１ｂ，４１ｃ，４１ｄには、読み取った記入前後のドットイメージについてイメージ解析を行うためのコンピュータ端末４２ａ，４２ｂ，４２ｃ，４２ｄがそれぞれ接続されている。このコンピュータ端末４２ａ，４２ｂ，４２ｃ，４２ｄは、図１に示した比較情報記憶部１２およびイメージ解析部１３として機能する。
【００３６】
これらの各コンピュータ端末４２ａ，４２ｂ，４２ｃ，４２ｄは、ネットワーク４３を介して、得票を集計するためのサーバコンピュータ４４に接続されている。また、サーバコンピュータ４４には、プリンタあるいは表示盤などの出力装置４５が接続され、投票結果が印字あるいは表示されるようになっている。
【００３７】
図５は電子投票システムで使用される投票用紙の例を示す図である。
投票用紙５０には、各候補者名５１の上にマーク記入個所５２がそれぞれ設けられており、投票者が、このマーク記入個所５２にマークを記入することにより、投票する候補者が選択されるようになっている。
【００３８】
また、投票用紙６０には、百の位、十の位、一の位の３桁の数字を表わすため、各位の数字をマークするマーク記入個所６１ａ，６１ｂ，６１ｃがそれぞれ縦一列に設けられている。投票者は、候補者あるいは政党にあらかじめ付与されている番号を、マーク記入個所６１ａ，６１ｂ，６１ｃにマークを記入し、投票する候補者あるいは政党が特定されるようになっている。
【００３９】
次に、上記構成の電子投票システム４０において、投票用紙５０の他事記載検出を行う場合を例にしてその処理の流れについて説明する。
図６は投票前の処理の流れを示す図である。
【００４０】
投票用紙の他事記載検出を行う場合には、投票前に、まず、投票用紙５０のマーク記入前ドットイメージが、イメージスキャナ４１ａ，４１ｂ，４１ｃ，４１ｄで読み取られる（ステップＳ１０）。
【００４１】
そして、投票用紙５０に記載されている印刷内容およびマーク記入個所５２の位置が、比較情報として、コンピュータ端末４２ａ，４２ｂ，４２ｃ，４２ｄに記憶される（ステップＳ１１）。
【００４２】
なお、マーク記入前の投票用紙５０の読み取りは、複数のイメージスキャナ４１ａ，４１ｂ，４１ｃ，４１ｄのうち、例えばひとつのコンピュータ端末４２ａでのみ行うようにしてもよい。この場合、得られた比較情報は、ネットワーク４３を介して、他のコンピュータ端末４２ｂ，４２ｃ，４２ｄに送信し、記憶するようにする。
【００４３】
図７はイメージ解析の処理の流れを示す図である。
投票においては、まず、コンピュータ端末４２ａ，４２ｂ，４２ｃ，４２ｄが、投票用紙６０のマーク記入後ドットイメージを、イメージスキャナ４１ａ，４１ｂ，４１ｃ，４１ｄで読み取る（ステップＳ２０）。
【００４４】
次いで、読み取られたマーク記入後ドットイメージを、一定の区画に分割する（ステップＳ２１）。
そして、区画ごとに、区画内全ドット数に対する区画内黒ドット数の割合Ｘを算出する（ステップＳ２２）。その際には、図６に示したステップＳ１１において記憶した比較情報に基づき、マーク記入個所５２の位置に記入されたマークのマーク黒ドット数を差し引いたものを区画内黒ドット数として、割合Ｘを算出する。
【００４５】
この算出された割合Ｘについて、それが一定値以下であるか否かを判断する（ステップＳ２３）。
ここで、割合Ｘが一定値を超えると判断した場合には、マーク記入前ドットイメージとマーク記入後ドットイメージとについて排他論理処理を行い（ステップＳ２４）、双方を重ね合わせた結果、一致しない部分が生じるか否かを判定する（ステップＳ２５）。
【００４６】
この排他論理処理により、一致しない部分が生じる場合には、この区画内に、マーク以外の記入があると判定する（ステップＳ２６）。一方、一致しない部分が生じない場合は、この区画内にあるのは印刷内容であると判定する（ステップＳ２７）。
【００４７】
また、ステップＳ２３で、割合Ｘが一定値以下と判断した場合は、この区画内には、マーク以外の記入はないと判定する（ステップＳ２８）。
さらに、マーク以外の記入があると判定されたときに、それが所定の個所に記入された文字であるか否かを判定する場合には、排他論理処理で生じた一致しない部分に対して、パターンマッチングを行う。
【００４８】
図８はパターンマッチングの処理の流れを示す図である。
パターンマッチングでは、排他論理処理で生じた一致しない部分を抽出し（ステップＳ３０）、この一致しない部分に対し、あらかじめ記憶しておいた文字パターンの候補との比較を行い、一致するか否かを判断する（ステップＳ３１）。
【００４９】
ここで、その候補と一致する場合には、文字パターンを確定する（ステップＳ３２）。また、ステップＳ３１で、文字パターンの候補が一致しない場合には、次の候補との一致を判断する。この処理は、文字パターンが一致するまで繰り返される。
【００５０】
これにより、マーク以外の記入が文字を形成しているか否かが判定される。
コンピュータ端末４２ａ，４２ｂ，４２ｃ，４２ｄは、各区画について、割合Ｘの値とともに、排他論理処理結果およびパターンマッチングの結果を考慮して判定した他事記載の有無を、その画面に表示するとともに、この情報をサーバコンピュータ４４に送信する。
【００５１】
他事記載の有無を示す情報を受信したサーバコンピュータ４４では、その投票用紙による投票が有効であるか無効であるかに関する情報を記憶し、投票結果に反映させる。
【００５２】
なお、上記説明では、投票用紙５０の他事記載検出を行う場合について述べたが、勿論、投票用紙６０のような形式の場合であっても、同様に処理することが可能である。
【００５３】
【発明の効果】
以上説明したように、本発明では、マーク記入前ドットイメージから得られる比較情報を記憶しておき、マーク記入後ドットイメージを読み取って一定の区画に分割し、区画ごとに区画内全ドット数に対するマーク黒ドット数を差し引いた区画内黒ドット数の割合を算出する構成にした。これにより、その割合が一定値以下であるか否かによって、その区画内に他事記載の有無を判定することができる。
【図面の簡単な説明】
【図１】他事記載検出装置の構成例を示す図である。
【図２】他事記載検出装置におけるイメージ解析の説明図であって、（ａ）はマークシートを区画分割した状態を示す図、（ｂ）は区画Ａの拡大図である。
【図３】区画間ドットイメージのイメージ解析の説明図であって、（ａ）は区画間にまたがるドットイメージ、（ｂ）は新たに設定された区画をそれぞれ示している。
【図４】他事記載検出装置を用いた電子投票システムの構成例を示す図である。
【図５】電子投票システムで使用される投票用紙の例を示す図である。
【図６】投票前の処理の流れを示す図である。
【図７】イメージ解析の処理の流れを示す図である。
【図８】パターンマッチングの処理の流れを示す図である。
【符号の説明】
１０  他事記載検出装置
１１  マークシート読み取り部
１２  比較情報記憶部
１３  イメージ解析部
１３ａ  区画設定部
１３ｂ  割合算出部
１３ｃ  排他論理処理部
１３ｄ  パターンマッチング部
１３ｅ  判定部
１３ｆ  判定結果出力部
２０  マークシート
２１，５２，６１ａ，６１ｂ，６１ｃ  マーク記入個所
２２  他事記載
３０  区画間ドットイメージ
４０  電子投票システム
４１ａ，４１ｂ，４１ｃ，４１ｄ  イメージスキャナ
４２ａ，４２ｂ，４２ｃ，４２ｄ  コンピュータ端末
４３  ネットワーク
４４  サーバコンピュータ
４５  出力装置
５０，６０  投票用紙
５１  各候補者名
【図１】
0003636447.tif 000002
【図２】
0003636447.tif 000003
【図３】
0003636447.tif 000004
【図４】
0003636447.tif 000005
【図５】
0003636447.tif 000006
【図６】
0003636447.tif 000007
【図７】
0003636447.tif 000008
【図８】
0003636447.tif 000009